(57)【特許請求の範囲】
【請求項１】
無線ＵＳＢ規格に基づいて、初めて接続される周辺装置とアソシエーション処理を実行して接続情報を記憶し、次回の接続時から前記接続情報を用いて前記周辺装置と無線通信を行う画像形成装置であって、
管理者及びユーザーが登録されたユーザー情報と、全ての前記ユーザーが使用可能な前記周辺装置が登録された管理者機器管理リストと、前記ユーザー毎に設けられ、前記ユーザーが使用可能な前記周辺装置が登録されたユーザー機器管理リストとを記憶する記憶手段と、
前記ユーザー情報に基づいて前記ユーザーがログイン中に、前記周辺装置から接続要求を受信すると、前記管理者機器管理リスト及び前記ユーザー機器管理リストに登録されているか否かを判断する制御手段と、
前記制御手段によって、接続要求してきた前記周辺装置が前記管理者機器管理リストに登録されておらず、さらに前記ユーザー機器管理リストに登録されていないと判断された場合に、接続要求してきた前記周辺装置と前記アソシエーション処理を実行する無線通信手段とを具備し、
前記制御手段は、前記無線通信手段によって前記アソシエーション処理を実行した前記周辺装置を、ログイン中の前記ユーザーの前記ユーザー機器管理リストに登録させることを特微とする画像形成装置。
【請求項２】
前記制御手段は、前記無線通信手段によって前記アソシエーション処理を実行した前記周辺装置の使用を許可する前記ユーザーを選択する選択入力を受け付け、前記無線通信手段によって前記アソシエーション処理を実行した前記周辺装置を、ログイン中の前記ユーザーの前記ユーザー機器管理リストと選択された前記ユーザーの前記ユーザー機器管理リストに登録させることを特微とする請求項１記載の画像形成装置。
【請求項３】
前記制御手段は、前記ユーザー情報に基づいて前記ユーザーがログイン中に、前記周辺装置から接続要求を受信すると、前記管理者機器管理リスト及び前記ユーザー機器管理リストに登録されているか否かを判断し、前記管理者機器管理リストもしくはログイン中の前記ユーザーの前記ユーザー機器管理リストに登録されている場合に、接続要求していた前記周辺装置の使用をログイン中の前記ユーザーに対して許可させ、前記管理者機器管理リスト及びログイン中の前記ユーザーの前記ユーザー機器管理リストに登録されておらず、且つログイン中以外の前記ユーザーの前記ユーザー機器管理リストに登録されている場合に、接続要求していた前記周辺装置の使用をログイン中の前記ユーザーに対して不許可させることを特微とする請求項１又は２記載の画像形成装置。
【発明の詳細な説明】
【技術分野】
【０００１】
本発明は、画像形成装置に係り、特に無線ＵＳＢ規格に基づいて周辺装置と無線通信を行うことができる画像形成装置に関する。
【背景技術】
【０００２】
近年、複写機等の画像形成装置と周辺装置との接続に、無線ＵＳＢ（ワイヤレスＵＳＢ）規格に基づく無線通信が用いられている。通常、無線ＵＳＢを利用する際は、初期接続時に機器同士がお互いを認識し、お互いの接続情報（Ｃｏｎｎｅｃｔｉｏｎ  Ｃｏｎｔｅｘｔ）を保持しあうアソシエーション処理が必要である。このように、一旦アソシエーション処理を完了し、お互いの接続情報を保持しあうことで２度目以降の接続時は特別な処理を必要とせず無線ＵＳＢの接続が可能になる。
【０００３】
一方、アソシエーション処理が完了してしまえば、周辺装置の使用が許可されていないユーザーでも周辺装置に簡単にアクセスできてしまうという問題がある。そこで、管理者権限で接続情報の編集追加を制限することで、無線ＵＳＢ対応の周辺装置を手にしただけの不正なユーザーによるその周辺装置の利用を防止する技術が提案されている（例えば、特許文献１参照）。
【先行技術文献】
【特許文献】
【０００４】
【特許文献１】特開２０１０−２０１８６１号
【発明の概要】
【発明が解決しようとする課題】
【０００５】
しかしながら、従来技術においては、管理者によって無線ＵＳＢ対応の周辺装置の利用を制限できるが、新しい周辺装置を利用する毎に、管理者による設定が必要となり、管理者の負担が増大してしまうという問題点があった。
【０００６】
本発明の目的は、上記問題点に鑑み、従来技術の問題を解決し、無線ＵＳＢ対応の周辺装置の登録時における管理者の負担を軽減させることができる画像形成装置を提供することにある。
【課題を解決するための手段】
【０００７】
本発明の画像形成装置は、無線ＵＳＢ規格に基づいて、初めて接続される周辺装置とアソシエーション処理を実行して接続情報を記憶し、次回の接続時から前記接続情報を用いて前記周辺装置と無線通信を行う画像形成装置であって、管理者及びユーザーが登録されたユーザー情報と、全ての前記ユーザーが使用可能な前記周辺装置が登録された管理者機器管理リストと、前記ユーザー毎に設けられ、前記ユーザーが使用可能な前記周辺装置が登録されたユーザー機器管理リストとを記憶する記憶手段と、前記ユーザー情報に基づいて前記ユーザーがログイン中に、前記周辺装置から接続要求を受信すると、前記管理者機器管理リスト及び前記ユーザー機器管理リストに登録されているか否かを判断する制御手段と、前記制御手段によって、接続要求してきた前記周辺装置が前記管理者機器管理リストに登録されておらず、さらに前記ユーザー機器管理リストに登録されていないと判断された場合に、接続要求してきた前記周辺装置と前記アソシエーション処理を実行する無線通信手段とを具備し、前記制御手段は、前記無線通信手段によって前記アソシエーション処理を実行した前記周辺装置を、ログイン中の前記ユーザーの前記ユーザー機器管理リストに登録させることを特微とする。
さらに、本発明の画像形成装置において、前記制御手段は、前記無線通信手段によって前記アソシエーション処理を実行した前記周辺装置の使用を許可する前記ユーザーを選択する選択入力を受け付け、前記無線通信手段によって前記アソシエーション処理を実行した前記周辺装置を、ログイン中の前記ユーザーの前記ユーザー機器管理リストと選択された前記ユーザーの前記ユーザー機器管理リストに登録させるようにしても良い。
さらに、本発明の画像形成装置において、前記制御手段は、前記ユーザー情報に基づいて前記ユーザーがログイン中に、前記周辺装置から接続要求を受信すると、前記管理者機器管理リスト及び前記ユーザー機器管理リストに登録されているか否かを判断し、前記管理者機器管理リストもしくはログイン中の前記ユーザーの前記ユーザー機器管理リストに登録されている場合に、接続要求していた前記周辺装置の使用をログイン中の前記ユーザーに対して許可させ、前記管理者機器管理リスト及びログイン中の前記ユーザーの前記ユーザー機器管理リストに登録されておらず、且つログイン中以外の前記ユーザーの前記ユーザー機器管理リストに登録されている場合に、接続要求していた前記周辺装置の使用をログイン中の前記ユーザーに対して不許可させるようにしても良い。
【発明の効果】
【０００８】
本発明によれば、全てのユーザーが使用可能な周辺装置が登録された管理者機器管理リストと、ユーザー毎に設けられ、ユーザーが使用可能な前記周辺装置が登録されたユーザー機器管理リストとを記憶しておき、ユーザーがログイン中に、周辺装置から接続要求を受信すると、管理者機器管理リスト及びユーザー機器管理リストに登録されているか否かを判断し、接続要求してきた周辺装置が管理者機器管理リスト及びユーザー機器管理リストに登録されていない場合に、接続要求してきた周辺装置とアソシエーション処理を実行すると共に、アソシエーション処理を実行した前記周辺装置を、ログイン中のユーザーのユーザー機器管理リストに登録させるように構成することにより、ユーザー権限で周辺装置を登録することができ、無線ＵＳＢ対応の周辺装置の登録時における管理者の負担を軽減させることができるという効果を奏する。
【図面の簡単な説明】
【０００９】
【図１】本発明に係る画像形成装置の実施の形態の内部構成を示す概略模式断面図である。
【図２】図１に示す画像形成装置の概略構成を示すブロック図である。
【図３】図２に示す記憶部に記憶されているユーザー情報例、管理者機器管理リスト列及びユーザー機器管理リスト例を示す説明図である。
【図４】本発明に係る画像形成装置の実施の形態における周辺装置接続動作について説明するためのフローチャートである。
【発明を実施するための形態】
【００１０】
次に、本発明の実施の形態を、図面を参照して具体的に説明する。
本実施の形態の画像形成装置１は、複写機であり、図１を参照すると、原稿読取部２と、原稿給送部３と、本体部４と、スタックトレイ５と、操作部６とを備えている。原稿読取部２は、本体部４の上部に配設され、原稿給送部３は、原稿読取部２の上部に配設されている。スタックトレイ５は、本体部４の形成された記録紙の排出口４１側に配設され、また、操作部６は、画像形成装置１の手前側に配設されている。
【００１１】
操作部６には、液晶表示部６１、テンキー６２が設けられている。ユーザーは操作部６を操作して指示を入力することで、画像形成装置１の各種の設定をし、画像形成等の各種機能を実行させる。液晶表示部６１は、画像形成装置１の状態を示したり、画像形成状況や印刷部数を表示したり、タッチパネルとして、両面印刷や白黒反転等の機能や倍率設定、濃度設定など各種設定を行えるようになっている。その他、操作部６には、画像形成を開始するようにユーザーが指示するスタートボタン、画像形成を中止する際等に使用するストップ／クリアボタン、画像形成装置１の各種設定をデフォルト状態にする際に使用するリセットボタン等が設けられている。
【００１２】
原稿読取部２は、スキャナー２１と、プラテンガラス２２と、原稿読取スリット２３とを備える。スキャナー２１は、露光ランプ及びＣＣＤ（Ｃｈａｒｇｅ  Ｃｏｕｐｌｅｄ  Ｄｅｖｉｃｅ）センサ等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交する方向に形成されたスリットを有する。
【００１３】
プラテンガラス２２に載置された原稿を読み取る場合には、スキャナー２１は、プラテンガラス２２に対向する位置に移動され、プラテンガラス２２に載置された原稿を走査しながら原稿を読み取って画像データーを取得し、取得した画像データーを本体部４に出力する。また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データーを取得し、取得した画像データーを本体部４に出力する。
【００１４】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させることができる。
【００１５】
本体部４は、記録部７を備えると共に、給紙部４２と、用紙搬送路４３と、搬送ローラー４４と、排出ローラー４５とを備えている。給紙部４２は、複数の給紙カセット４２ａ１〜４２ａｎと、給紙カセット４２ａ１〜４２ａｎから記録紙を１枚ずつ用紙搬送路４３に繰り出す給紙ローラー４２ｂ１〜４２ｂｎとを備えている。給紙ローラー４２ｂ１〜４２ｂｎ、搬送ローラー４４及び排出ローラー４５が搬送部として機能し、記録紙が搬送される。給紙ローラー４２ｂ１〜４２ｂｎによって用紙搬送路４３に繰り出された記録紙は、搬送ローラー４４によって記録部７に搬送される。そして、記録部７によって記録が施された記録紙は、排出ローラー４５によってスタックトレイ５に排出される。
【００１６】
記録部７は、感光体ドラム７１と、露光部７２と、画像形成部７３と、転写部７４と、定着部７５とを備えている。露光部７２は、レーザー装置やミラー等を備えた光学ユニットであり、画像データーに基づいてレーザー光を出力して感光体ドラム７１を露光し、感光体ドラム７１の表面に静電潜像を形成する。画像形成部７３は、トナーを用いて感光体ドラム７１に形成された静電潜像を現像する現像ユニットであり、静電潜像に基づいたトナー像を感光体ドラム７１上に形成させる。転写部７４は、画像形成部４４によって感光体ドラム７１上に形成されたトナー像を記録紙に転写させる。定着部７５は、転写部７４によってトナー像が転写された記録紙を加熱してトナー像を記録紙に定着させる。
【００１７】
図２には、画像形成装置１の概略構成を示すブロック図が示されている。上述の原稿読取部２、原稿給紙部３、搬送部（給紙ローラー４２ｂ１〜４２ｂｎ、搬送ローラー４４、排出ローラー４５）、操作部６及び記録部７は、制御部８に接続され、制御部８によって動作制御される。また、制御部８には、画像処理部９と、無線通信部１０と、記憶部１１とが接続されている。
【００１８】
制御部８は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を備えたマイクロコンピュータ等の情報処理部である。ＲＯＭには画像形成装置１の動作制御を行うための制御プログラムが記憶されている。制御部８は、ＲＯＭに記憶されている制御プログラムを読み出し、制御プログラムをＲＡＭに展開させることで、操作部６から入力された所定の指示情報に応じて装置全体の制御を行う。
【００１９】
画像処理部９は、画像データーに対して所定の画像処理を行う手段であり、例えば、拡大縮小処理や、階調調整、濃度調整等の画像改善処理が行われる。
【００２０】
無線通信部１０は、無線ＵＳＢ規格の通信（無線ＵＳＢ通信）を制御する回路であり、無線ＵＳＢ対応の周辺装置１２と無線ＵＳＢ通信を行う。また、無線ＵＳＢ対応の周辺装置１２が初めて接続された場合には、お互いを認識し、お互いの接続情報（Connection Context）を保持しあうアソシエーション処理を行い、接続情報を記憶部１１に記憶させる。
【００２１】
記憶部１１は、半導体メモリやＨＤＤ（Hard Disk Drive）等の記憶手段であり、原稿読取部２によって原稿を読み取ることで取得された画像データーや、無線通信部１０によって実行されたアソシエーション処理によって生成された接続情報が記憶されると共に、図３に示すように、接続情報リスト１１１、ユーザー情報１１２、管理者機器管理リスト１１３、ユーザー機器管理リスト１１４等の管理情報が記憶されている。
【００２２】
接続情報リスト１１１は、無線通信部１０によって実行されたアソシエーション処理によって生成され、記憶された接続情報のリストであり、周辺装置１２の機器ＩＤが接続情報と関連づけされて登録されている。図３（ａ）に示す例では、接続情報リスト１１１に周辺装置Ａ、Ｂ、Ｃのそれぞれ機器ＩＤ「Ａ」、「Ｂ」、「Ｃ」が接続情報と関連づけされて登録されている
【００２３】
ユーザー情報１１２は、画像形成装置１の使用を許可された管理者及びユーザーのリストであり、ユーザー名と関連づけしてパスワード等のログイン情報が記憶されている。図３（ａ）に示す例では、ユーザー情報１１２に管理者とユーザーＸ、Ｙ、Ｚが登録されている。
【００２４】
管理者機器管理リスト１１３は、管理者が管理している全ユーザーが使用可能な周辺装置１２を示すリストであり、全ユーザーが使用可能な周辺装置１２の機器ＩＤが登録されている。図３（ａ）に示す例では、管理者機器管理リスト１１３に図２に示す周辺装置Ａの機器ＩＤ「Ａ」が登録されている。
【００２５】
ユーザー機器管理リスト１１４は、ユーザー情報１１２に登録されているユーザー毎に設けられ、各ユーザーが使用可能な周辺装置１２を示すリストであり、各ユーザーが使用可能な周辺装置１２の機器ＩＤがそれぞれ登録されている。図３（ａ）に示す例では、ユーザーＸ、Ｙ、Ｚのユーザー機器管理リスト１１４がそれぞれ設けられており、ユーザーＸのユーザー機器管理リスト１１４に図２に示す周辺装置Ｂの機器ＩＤ「Ｂ」が、ユーザーＹとユーザーＺのユーザー機器管理リスト１１４に図２に示す周辺装置Ｃの機器ＩＤ「Ｃ」がそれぞれ登録されている。
【００２６】
周辺装置１２は、例えば、フラッシュメモリやＨＤＤ等の記憶装置、パーソナルコンピュータ等の情報処理装置であり、無線ＵＳＢ規格の通信（無線ＵＳＢ通信）を行う機能を有している。
【００２７】
次に、本実施の形態の画像形成装置１における周辺装置接続動作について図４を参照して詳細に説明する。
【００２８】
まず、制御部８は、画像形成装置１の使用に当たってユーザーのログイン(ユーザー名及びログイン情報等)を受け付け、ユーザー情報１１２を参照することでログイン処理を実行する。次に、制御部８は、ユーザー権限で、すなわち管理者以外のユーザーＸ、Ｙ、Ｚがログイン中か否かを判断する（ステップＳ１）。以下、ユーザーＸの権限でログイン中であることを想定して説明する。
【００２９】
ユーザー権限でログイン中に周辺装置１２の電源がＯＮされ（ステップＳ２）、画像形成装置１の無線通信部１０によって周辺装置１２からの接続要求を受信すると、制御部８は、接続要求に含まれている周辺装置１２の機器ＩＤが管理者機器管理リスト１１３に登録されているか否かを判断する（ステップＳ３）。なお、周辺装置１２からの接続要求は、電源ＯＮ時に限ることなく、例えば、周辺装置１２に設けられた図示しない操作部からの操作によって送信されるようにしても良い。
【００３０】
ステップＳ３で接続要求してきた周辺装置１２の機器ＩＤが管理者機器管理リスト１１３に登録されている場合には、制御部８は、接続情報リスト１１１に基づいて接続要求してきた周辺装置１２の接続情報を特定し、特定した接続情報によって周辺装置１２を接続する（ステップＳ４）。次に、制御部８は、ログイン中のユーザーに接続した周辺装置１２の利用を許可し（ステップＳ５）、周辺装置接続動作を終了する。例えば、ステップＳ２で周辺装置Ａの電源がＯＮされた場合には、周辺装置Ａの機器ＩＤ「Ａ」が管理者機器管理リスト１１３に登録されているため、ログイン中のユーザーＸに対して、周辺装置Ａの使用が許可されることになる。
【００３１】
ステップＳ３で接続要求してきた周辺装置１２の機器ＩＤが管理者機器管理リスト１１３に登録されていない場合には、制御部８は、接続要求してきた周辺装置１２の機器ＩＤがログイン中のユーザー機器管理リスト１１４に登録されているか否かを判断する（ステップＳ６）。
【００３２】
ステップＳ６で接続要求してきた周辺装置１２の機器ＩＤがログイン中のユーザー機器管理リスト１１４に登録されている場合には、制御部８は、接続情報リスト１１１に基づいて接続要求してきた周辺装置１２の接続情報を特定し、特定した接続情報によって周辺装置１２を接続する（ステップＳ４）。次に、制御部８は、ログイン中のユーザーに接続要求してきた周辺装置１２の利用を許可し（ステップＳ５）、周辺装置接続動作を終了する。例えば、ステップＳ２で周辺装置Ｂの電源がＯＮされた場合には、周辺装置Ｂの機器ＩＤ「Ｂ」がユーザーＸのユーザー機器管理リスト１１４に登録されているため、ログイン中のユーザーＸに対して、周辺装置Ｂの使用が許可されることになる。
【００３３】
ステップＳ６で接続要求してきた周辺装置１２の機器ＩＤがログイン中のユーザー機器管理リスト１１４に登録されていない場合には、制御部８は、接続要求してきた周辺装置１２の機器ＩＤがログイン中以外の他のユーザーのユーザー機器管理リスト１１４に登録されているか否かを判断する（ステップＳ７）。
【００３４】
ステップＳ７で接続要求してきた周辺装置１２の機器ＩＤが他のユーザー機器管理リスト１１４に登録されている場合には、制御部８は、接続要求してきた周辺装置１２の利用をログイン中のユーザーに対して不許可にし（ステップＳ８）、周辺装置接続動作を終了する。例えば、ステップＳ２で周辺装置Ｃの電源がＯＮされた場合には、周辺装置Ｃの機器ＩＤ「Ｃ」が、管理者機器管理リスト１１３及びユーザーＸのユーザー機器管理リスト１１４に登録されておらず、且つユーザーＸ以外のユーザーＹ、Ｚのユーザー機器管理リスト１１４に登録されているため、周辺装置Ｃの使用がログイン中のユーザーＸに対して不許可されることになる。
【００３５】
ステップＳ７で接続要求してきた周辺装置１２の機器ＩＤが他のユーザー機器管理リスト１１４に登録されていない場合には、制御部８は、無線通信部１０にアソシエーション処理を指示する。無線通信部１０は、接続要求してきた周辺装置１２との間でアソシエーション処理を実行し（ステップＳ９）、接続要求してきた周辺装置１２の接続情報を記憶部１１に記憶させると共に、制御部８は、接続情報リスト１１１に接続要求してきた周辺装置１２の機器ＩＤを接続情報と関連づけて登録する。また、制御部８は、接続要求してきた周辺装置１２の使用を許可するユーザーの選択入力を受け付け（ステップＳ１０）、ログイン中のユーザーと選択されたユーザーとのユーザー機器管理リスト１１４に接続要求してきた周辺装置１２の機器ＩＤを登録する（ステップＳ１１）。次に、制御部８は、接続要求してきた周辺装置１２の接続情報によって周辺装置１２を接続して（ステップＳ４）、ログイン中のユーザーに接続した周辺装置１２の利用を許可し（ステップＳ５）、周辺装置接続動作を終了する。
【００３６】
例えば、ステップＳ２で周辺装置Ｄの電源がＯＮされた場合には、図３（ａ）に示すように、周辺装置Ｄの機器ＩＤ「Ｄ」が管理者機器管理リスト１１３及び全てのユーザー機器管理リスト１１４に登録されていないため、無線通信部１０によって周辺装置Ｄとの間でアソシエーション処理を実行され、図３（ｂ）に示すように、接続情報リスト１１１に周辺装置Ｄの機器ＩＤ「Ｄ」が接続情報と関連づけて登録される。また、ステップＳ１０でユーザーＹが選択された場合には、図３（ｂ）に示すように、ログイン中のユーザーＸと選択されたユーザーＹとのユーザー機器管理リスト１１４に周辺装置Ｄの機器ＩＤ「Ｄ」が登録されることになる。
【００３７】
以上、ユーザー権限でログイン中の場合について説明したが、管理者権限でログイン中には、操作部６からの入力によって、記憶部に記憶されている接続情報、接続情報リスト１１１、ユーザー情報１１２、管理者機器管理リスト１１３及びユーザー機器管理リスト１１４の修正や削除を行えるように構成されている。また、管理者権限でログイン中、ユーザー情報１１２に新たなユーザーが登録された場合には、新たな登録されたユーザーのユーザー機器管理リスト１１４が自動的に作成されるようにすると好適である。また、管理者権限でログイン中に初めての周辺装置１２が接続された場合、すなわち初めての周辺装置１２から接続要求を受信した場合には、管理者機器管理リスト１１３に接続要求をしてきた周辺装置１２の機器ＩＤが登録され、全てのユーザーが使用可能になる。
【００３８】
以上説明したように本実施の形態においては、管理者及びユーザーが登録されたユーザー情報１１２と、全てのユーザーが使用可能な周辺装置１２が登録された管理者機器管理リスト１１３と、ユーザー毎に設けられ、ユーザーが使用可能な周辺装置１２が登録されたユーザー機器管理リスト１１４とを記憶する記憶部１１と、ユーザー情報１１２に基づいてユーザーがログイン中に、周辺装置１２から接続要求を受信すると、管理者機器管理リスト１１３及びユーザー機器管理リスト１１４に登録されているか否かを判断する制御部８と、制御部８によって、接続要求してきた周辺装置１２が管理者機器管理リスト１１３及びユーザー機器管理リスト１１４に登録されていないと判断された場合に、接続要求してきた周辺装置１２とアソシエーション処理を実行する無線通信部１０とを具備する。制御部８は、無線通信部１０によってアソシエーション処理を実行した周辺装置１２を、ログイン中のユーザーのユーザー機器管理リスト１１４に登録させる。これにより、ユーザー権限で周辺装置１２を登録することができ、無線ＵＳＢ対応の周辺装置１２の登録時における管理者の負担を軽減させることができるという効果を奏する。
【００３９】
さらに、本実施の形態において、制御部８は、無線通信部１０によってアソシエーション処理を実行した周辺装置１２の使用を許可するユーザーの選択入力を受け付け、無線通信部１０によってアソシエーション処理を実行した周辺装置１２を、ログイン中のユーザーと選択されたユーザーのユーザー機器管理リスト１１４に登録させる。これにより、周辺装置１２を使用可能なユーザーをユーザー権限で設定することができ、無線ＵＳＢ対応の周辺装置１２の登録時における管理者の負担を軽減させることができるという効果を奏する。
【００４０】
さらに、本実施の形態において、制御部８は、ユーザー情報１１２に基づいてユーザーがログイン中に、周辺装置１２から接続要求を受信すると、管理者機器管理リスト１１３及びユーザー機器管理リスト１１４に登録されているか否かを判断し、管理者機器管理リスト１１３もしくはログイン中のユーザーのユーザー機器管理リスト１１４に登録されている場合に、接続要求していた周辺装置１２の使用をログイン中のユーザーに対して許可させ、管理者機器管理リスト１１３及びログイン中のユーザーのユーザー機器管理リスト１１４に登録されておらず、且つログイン中以外のユーザーのユーザー機器管理リスト１１４に登録されている場合に、接続要求していた周辺装置１２の使用をログイン中のユーザーに対して不許可させる。これにより、従来では、一旦管理者権限で無線ＵＳＢ対応の周辺装置１２をリストに登録（接続情報を保持）してしまうと、周辺装置１２の所有者以外のユーザーでもその周辺装置１２が利用できてしまい、セキュリティに問題があったが、本実施の形態では、登録された周辺装置１２の利用を制限することができ、セキュリティを向上させることができる。
【００４１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４２】
１  画像形成装置
２  原稿読取部
３  原稿給送部
４  本体部
５  スタックトレイ
６  操作部
７  記録部
８  制御部
９  画像処理部
１０  無線通信部
１１  記憶部
１２  周辺装置
２１  スキャナー
２２  プラテンガラス
２３  原稿読取スリット
３１  原稿載置部
３２  原稿排出部
３３  原稿搬送機構
４１  排出口
４２  給紙部
４２ａ１〜４２ａｎ  給紙カセット
４２ｂ１〜４２ｂｎ  給紙ローラー
４３  用紙搬送路
４４  搬送ローラー
４５  排出ローラー
６１  液晶表示部
６２  テンキー
７１  感光体ドラム
７２  露光部
７３  画像形成部
７４  転写部
７５  定着部
１１１  接続情報リスト
１１２  ユーザー情報
１１３  管理者機器管理リスト
１１４  ユーザー機器管理リスト
【図１】
0005745987.tif 000002
【図２】
0005745987.tif 000003
【図３】
0005745987.tif 000004
【図４】
0005745987.tif 000005